(57)【要約】【技術課題】  ランプ式車高灯をＬＥＤ方式に簡単に取り換えることにより、耐久性を高め、且つランプ交換の手間と交換作業時の危険を無くす。【解決手段】  既設の車高灯１００内のランプソケット１０２に着脱自在の電源プラグ１と、この電源プラグ１にリード線３で結ばれた電源基盤２と、この電源基盤２にリード線７で結ばれたＬＥＤ付の基盤５、８と、前記各基盤２、５、８の裏面に形成されたクッション材１１、接着剤層１２、保護紙１３で車高灯更新用ＬＥＤキットを構成する。【選択図】        図  ６
2006024466.tif 000002
【特許請求の範囲】
【請求項１】
既設の車高灯内のランプソケットに着脱自在の電源プラグと、この電源プラグにリード線で結ばれた電源基盤と、この電源基盤にリード線で結ばれたＬＥＤ付の基盤と、前記各基盤の裏面に形成された接着剤層と、から成る車高灯更新用ＬＥＤキット。
【請求項２】
請求項１に記載の各基盤の裏面には、クッション材が取り付けられていて、接着剤層は、このクッション材の表面に形成されていることを特徴とする車高灯更新用ＬＥＤキット。
【請求項３】
請求項１又は２に記載の接着剤層の表面には、昜剥離性の保護紙が貼り合わせてあることを特徴とする車高灯更新用ＬＥＤキット。
【請求項４】
請求項１〜３に記載のＬＥＤキットは、既設の車高灯において、ランプソケットに電源プラグを装着すると共に、接着剤層で既設の車高灯のベースに貼り付けて使用されることを特徴とする車高灯更新用ＬＥＤキット。
【発明の詳細な説明】
【技術分野】
【０００１】
本願発明は、既設のランプ式車高灯をＬＥＤを使用した車高灯に更新するためのキットに関する。
【背景技術】
【０００２】
図８に示すように、保冷バンやドライバンあるいは大型のバス等の頭頂部には、車の高さ（大きさ）を他車等に視認させて事故防止を図ることを目的として、車高灯１００が取り付けられている。
この車高灯１００は、図９に示すように、赤、橙、白色等のプラスチックカバー１０４内のランプソケット１０２にランプ（豆電球）１０１を取り付けた構成であり、前記カバー１０４は、ビス１０５でベース１０３に取り付け自在であり、中のランプ１０１が切れた場合には、ビス１０５を外し、カバー１０４を開けて中のランプ１０１を交換する構成となっている。
しかし、このランプ１０１の寿命は大変短く、数ヶ月で交換が必要になる場合が多い。そして、このランプ１０１の交換を行う際は、ランプ１０１の位置が高く、人の手が届かないため、図８のように梯子１０８を利用しているが、この梯子１０８を車体にたて掛けた場合、特に固定するものがないことから、滑って倒れ、怪我をすることがある。図９において、１０６はビス孔、１０７はパッキン、１０８は電源線である。
そこで、最近は、ランプ交換の必要がなく、長寿命のＬＥＤを用いた車高灯が発売されている。
しかし、このＬＥＤ式は、新車の場合には取り付けが可能であるが、新車以外においてＬＥＤ式のものを取り付けるとなると、車高灯全部を交換する必要があり、このためには費用がかかり、手間もかかる。但し、現在利用されている車高灯付の車の大部分はランプ式である。
そこで、図１０、図１１に示すように、プレート２０の裏側に電源プラグ２１を斜め向きに取り付けると共に、プレート２０の表面にＬＥＤ２３、２４、２５を取り付けた更新用ＬＥＤキットの提案があり、このキットは、図１２に示すように、ランプ１０１を取り外したランプソケット１０２に電源プラグ２１を装着することによってプレート２０を固定する方式である。
しかし、この方式の場合、車高灯自体はメーカによってもその形状、大きさ、高さ等が異なることから、一種類では対応することができず、５〜６種類を製作する必要があり、コスト高となっている。
また、車高灯の場合、ランプソケット１０２が図１２に示すように斜め上向きになっているもの以外に、水平方向に向いているものもあり、この水平向きの場合、斜め下向きの電源プラグ２１から成る図１０、図１１に示すキットは適用できないと云う欠点がある。
【発明の開示】
【発明が解決しようとする課題】
【０００３】
本発明は斯る点に鑑みて提案されるものであって、既設のすべてのランプ式の車高灯を低費用で簡単にＬＥＤ式に更新することができる車高灯更新用ＬＥＤキットを提供するのが目的である。
【課題を解決するための手段】
【０００４】
上記目的を達成するため、請求項１に記載の発明においては、車高灯キットにおいて、既設の車高灯内のランプソケットに着脱自在の電源プラグと、この電源プラグにリード線で結ばれた電源基盤と、この電源基盤にリード線で結ばれたＬＥＤ付の基盤と、前記各基盤の裏面に形成された接着剤層と、から成ることを特徴とするものである。
【０００５】
更に、請求項２に記載の発明においては、請求項１に記載の各基盤の裏面には、クッション材が取り付けられていて、接着剤層は、このクッション材の表面に形成されていることを特徴とするものである。
【０００６】
更に、請求項３に記載の発明においては、請求項１又は２に記載の接着剤層の表面には、昜剥離性の保護紙が貼り合わせてあることを特徴とするものである。
【０００７】
更に、請求項４に記載の発明においては、請求項１〜３に記載のＬＥＤキットは、既設の車高灯において、ランプソケットに電源プラグを装着すると共に、接着剤層で既設の車高灯のベースに貼り付けて使用されることを特徴とするものである。
【０００８】
[作用]
既設のランプ式車高灯をＬＥＤ式に更新する場合であって、請求項１〜４に記載のキットにあっては、車高灯のカバーを外し、ランプをランプソケットから取り外す。そして、電源プラグをランプソケットに装着し、各ＬＥＤ基盤から保護紙を剥したのち、接着剤を用いて車高灯のベースの正面に貼り付けて取り付けを終る。
ＬＥＤは、ランプソケットから電源プラグ及び電源基盤を経由して給電を受けたときに発光する。
【発明の効果】
【０００９】
本発明の更新用キットは、次の効果を奏する。
１．既設の車高灯において、ランプを取り外すだけでＬＥＤ式車高灯に更新できる（請求  項１〜４）。
２．請求項１〜４に記載のキットにあっては、接着剤を用いて簡単にＬＥＤを車高灯のベ  ースに取り付けができる。
３．請求項１〜４に記載のキットにあっては、ＬＥＤ基盤の裏面にクッション材を取り付  けたことにより、振動がＬＥＤや電気回路に伝わるのを軽減できるため、キットの耐久  性を向上させることができる。
４．請求項１〜４に記載のキットにあっては、保護紙が接着剤層を保護しているため、保  管、輸送中の接着剤の保護と劣化を防止できる。
５．請求項１〜４に記載のキットにあっては、電源プラグと基盤及び各ＬＥＤをリード線  で結んでいるだけのため、電源プラグをランプソケットに装着したあとの各ＬＥＤの取  り付け位置は自由となるため、既設の車高灯の形状、大きさに関係なく、どの車高灯に  も用いることができ、汎用性が高い。
【実施例１】
【００１０】
図１〜図７に基づいて請求項１〜４に記載した発明の実施例を詳細に説明する。図１は、本発明に係る車高灯更新用ＬＥＤキットの正面図、図２は平面図、図３は背面図、図４は側面図、図５は接着剤層から保護紙を剥している状態の説明図、図６はランプを外し、車高灯内にＬＥＤキットを取り付けた状態の説明図、図７はＬＥＤキットの基盤をベースに貼り付けた状態の説明図である。
【００１１】
これらの各図において、１は、従来例で説明した車高灯１００内であって、それまでランプ１０１が装着されていたランプソケット１０２からランプ１０１を取り外し、このランプソケット１０２に着脱自在に装着することができる電源プラグ、２は、電源基盤であって、この電源基盤２は、前記電源プラグ１と＋・−リード線３で結ばれていると共に、その正面にはＬＥＤ４が取り付けられている。５は、前記電源基盤２の左方に配置される左サイドＬＥＤ基盤であって、この左サイドＬＥＤ基盤５の正面にはＬＥＤ６が取り付けられていると共に、前記電源基盤２とはＬＥＤ６の電源用＋・−リード線７で結ばれている。
【００１２】
８は、前記電源基盤２の右方に配置される右サイドＬＥＤ基盤であって、この右サイドＬＥＤ基盤８の正面にはＬＥＤ９が取り付けられていると共に、前記電源基盤２とはＬＥＤ９の電源用＋・−リード線１０で結ばれている。
【００１３】
１１は、前記した各基盤２、５、８の裏面に取り付けられたクッション材（スポンジ）、１２は、このクッション材１１の表面に形成された接着剤層、１３は、接着剤層１２の表面に貼り合わせられた易剥離性保護紙である。
なお、クッション材１１の材質は、振動を吸収できることが条件であり、ゴム材等でも良く、よって、クッション材の材質は特に限定されない。
【００１４】
上記構成のＬＥＤキットを取り付ける場合には、各基盤２、５、８の接着剤層１２の表面を覆う保護紙１３を図５に示すようにして剥し、図６に示すように、ランプソケット１０２からランプ１０１を取り外し、電源プラグ１をランプソケット１０２に装着する。そして、前記各基盤２、５、８の位置を定めて接着剤層１２の接着力で車高灯１００のベース１０３の表面に貼り付ける。この時、各リード線３、７、１０は自由に曲げることができるため、長めのものであっても丁度良く車高灯１００内に収まる。
このようにしてＬＥＤキットに取り換えた後、車高灯１００のカバー１０４を被せ、ビス１０５を用いて固定し、取り付け作業を終る。
【図面の簡単な説明】
【００１５】
【図１】実施例１に係るＬＥＤキットの正面図
【図２】実施例１に係るＬＥＤキットの平面図
【図３】実施例１に係るＬＥＤキットの背面図
【図４】実施例１に係るＬＥＤキットの側面図
【図５】保護紙を剥している状態の説明図
【図６】車高灯内にＬＥＤキットを取り付けた状態の説明図
【図７】ＬＥＤ基盤を車高灯のベースに貼り付けた状態の説明図
【図８】保冷バンに取り付けられた車高灯の説明図
【図９】従来の車高灯において、カバーを取り外してその内部を示す説明図
【図１０】従来のプレート式ＬＥＤキットの説明図
【図１１】従来のプレート式ＬＥＤキットの平面図
【図１２】ランプ式車高灯をプレート式ＬＥＤキットに更新した従来例の説明図
【符号の説明】
【００１６】
１  電源プラグ
２  電源基盤
５  左サイドＬＥＤ基盤
８  右サイドＬＥＤ基盤
４、６、９  ＬＥＤ
１１  クッション材
１２  接着剤層
１３  保護紙
【図１】
2006024466.tif 000003
【図２】
2006024466.tif 000004
【図３】
2006024466.tif 000005
【図４】
2006024466.tif 000006
【図５】
2006024466.tif 000007
【図６】
2006024466.tif 000008
【図７】
2006024466.tif 000009
【図８】
2006024466.tif 000010
【図９】
2006024466.tif 000011
【図１０】
2006024466.tif 000012
【図１１】
2006024466.tif 000013
【図１２】
2006024466.tif 000014